(57)【要約】    【課題】  大きな開口数を有する対物レンズを用いて情報の記録再生を行う場合においても素早いデータ再生を可能にし、さらに、多層情報記録媒体ディスクの作製にあたっても単層と同等の平面性をもって作成することが可能な多層情報記録媒体及び情報再生装置を提供する。    【解決手段】  屈折率ｎを有する厚さｔの光入射側記録層上のカバー層を有する単層情報記録媒体に対して、再生又は記録の互換性を有する多層情報記録媒体において、光入射側表面より、第１の記録層と第２の記録層とを順に備え、第２の記録層の光入射側表面からの光学距離ｄ１は、ｄ１＝ｎ×ｔであり、第１の記録層の光入射側表面からの光学距離ｄ２は、ｄ２＜ｎ×ｔであり、第２の記録層に第１の記録層の内容に関する所定のコンテンツ情報を記録するコンテンツ情報記録領域を有する。【選択図】  図３
2005116177.tif 000002
【特許請求の範囲】
【請求項１】
屈折率ｎを有する厚さｔの光入射側記録層上のカバー層を有する単層情報記録媒体に対して、再生又は記録の互換性を有する多層情報記録媒体であって、
光入射側表面より、第１の記録層と第２の記録層とを順に備え、
前記第２の記録層の光入射側表面からの光学距離ｄ１は、ｄ１＝ｎ×ｔであり、
前記第１の記録層の光入射側表面からの光学距離ｄ２は、ｄ２＜ｎ×ｔであり、
前記第２の記録層に前記第１の記録層の内容に関する所定のコンテンツ情報を記録するコンテンツ情報記録領域を有することを特徴とする多層情報記録媒体。
【請求項２】
前記コンテンツ情報記録領域に前記コンテンツ情報が記録されていることを特徴とする請求項１記載の多層情報記録媒体。
【請求項３】
前記第２の記録層から前記第１の記録層の順に物理アドレス情報が記録されていることを特徴とする請求項１記載の多層情報記録媒体。
【請求項４】
前記第２の記録層の内周から外周へ順に物理アドレス情報が記録されていることを特徴とする請求項１記載の多層情報記録媒体。
【請求項５】
前記第１の記録層の外周から内周へ順に物理アドレス情報が記録されていることを特徴とする請求項４記載の多層情報記録媒体。
【請求項６】
前記互換性は、ディスクの直径、ディスク全体厚み及びトラックピッチが共通であることを特徴とする請求項１に記載の多層情報記録媒体。
【請求項７】
前記互換性は、更に最短ピッチ長、反り角、複屈折率及びフォーマットが共通であることを特徴とする請求項６に記載の多層情報記録媒体。
【請求項８】
屈折率ｎを有する厚さｔの光入射側記録層上のカバー層を有する単層情報記録媒体に対して、再生又は記録の互換性を有する多層情報記録媒体であって、
光入射側表面より、カバー層、第１の記録層、スペーサ層及び第２の記録層の順に積層され、
前記カバー層の屈折率をｎＣ、厚さをｔＣとし、前記第１の記録層の屈折率をｎＬ１、厚さをｔＬ１とし，スペーサ層の屈折率をｎＳ、厚さをｔＳとすると、前記第２の記録層の光入射側表面からの光学距離ｄ１は、ｄ１＝ｎ×ｔ＝ｎＣ×ｔＣ＋ｎＬ１×ｔＬ１＋ｎＳ×ｔＳであり、
前記第１の記録層の光入射側表面からの光学距離ｄ２は、ｄ２＝ｎＣ×ｔＣ＜ｎ×ｔであり、
前記第２の記録層に前記第１の記録層の内容に関する所定のコンテンツ情報を記録するコンテンツ情報記録領域を有することを特徴とする多層情報記録媒体。
【請求項９】
前記コンテンツ情報記録領域に前記コンテンツ情報が記録されていることを特徴とする請求項８記載の多層情報記録媒体。
【請求項１０】
前記第２の記録層から前記第１の記録層の順に物理アドレス情報が記録されていることを特徴とする請求項８記載の多層情報記録媒体。
【請求項１１】
前記第２の記録層の内周から外周へ順に物理アドレス情報が記録されていることを特徴とする請求項８記載の多層情報記録媒体。
【請求項１２】
前記第１の記録層の外周から内周へ順に物理アドレス情報が記録されていることを特徴とする請求項１１記載の多層情報記録媒体。
【請求項１３】
前記互換性は、ディスクの直径、ディスク全体厚み及びトラックピッチが共通であることを特徴とする請求項８に記載の多層情報記録媒体。
【請求項１４】
前記互換性は、更に最短ピッチ長、反り角、複屈折率及びフォーマットが共通であることを特徴とする請求項１３に記載の多層情報記録媒体。
【請求項１５】
屈折率ｎを有する厚さｔの光入射側記録層上のカバー層を有する単層情報記録媒体に対して、再生又は記録の互換性を有する多層情報記録媒体であって、
光入射側表面に対して最深記録層と当該最深記録層より浅い１以上の浅い記録層とを備え、
前記最深記録層の光入射側表面からの光学距離ｄ１は、ｄ１＝ｎ×ｔであり、
前記浅い記録層の光入射側表面からの光学距離ｄ２は、ｄ２＜ｎ×ｔであり、
前記最深記録層に前記浅い記録層の内容に関する所定のコンテンツ情報を記録するコンテンツ情報記録領域を有することを特徴とする多層情報記録媒体。
【請求項１６】
前記コンテンツ情報記録領域に前記コンテンツ情報が記録されていることを特徴とする請求項１５記載の多層情報記録媒体。
【請求項１７】
前記最深記録層及び前記浅い記録層の２層のみからなることを特徴とする請求項１５記載の多層情報記録媒体。
【請求項１８】
前記最深記録層から前記浅い記録層の順に物理アドレス情報が記録されていることを特徴とする請求項１５記載の多層情報記録媒体。
【請求項１９】
前記最深記録層の内周から外周へ順に物理アドレス情報が記録されていることを特徴とする請求項１５記載の多層情報記録媒体。
【請求項２０】
前記最深記録層の次に浅い記録層の外周から内周へ順に物理アドレス情報が記録されていることを特徴とする請求項１９記載の多層情報記録媒体。
【請求項２１】
前記互換性は、ディスクの直径、ディスク全体厚み及びトラックピッチが共通であることを特徴とする請求項１５に記載の多層情報記録媒体。
【請求項２２】
前記互換性は、更に最短ピッチ長、反り角、複屈折率及びフォーマットが共通であることを特徴とする請求項２１に記載の多層情報記録媒体。
【請求項２３】
請求項１〜２２のいずれかに記載の多層情報記録媒体から情報を再生することを特徴とする情報再生装置。
【発明の詳細な説明】
【技術分野】
【０００１】
本発明は、光ディスク、光カードなどの情報記録媒体に関し、特に、スペーサ層を介して積層された複数の記録層を有する多層情報記録媒体に関する。
【背景技術】
【０００２】
近年、光ディスクは、映像データ、音声データ及びコンピュータデータなどのデータを記録再生する手段として広く用いられている。ＤＶＤ（Ｄｉｇｉｔａｌ  Ｖｅｒｓａｔｉｌｅ  Ｄｉｓｃ）と称される高密度記録型ディスクが実用化されている。このＤＶＤには、ディスク片側から読み出すことができる複数の記録層を有した積層構造の多層ディスクがある。片面に２つの記録層を有する２層ディスクは、再生専用ディスクとして実用化されている。
【０００３】
ＤＶＤの再生専用２層ディスクは、図１に示すように、読み取り側から見て１層目の光入射側に近いすなわち浅い記録層と、深い方の２層目の深い記録層とを備える。２層ディスクでは、再生用光ビームの焦点を移動させる（以下、フォーカスジャンプと称す）だけで浅い記録層、深い記録層のいずれの信号もディスク片側から読み出すことができる。光ビームが浅い記録層を透過して深い記録層の信号を読み取れるように浅い記録層を半透明膜とし、その膜厚や材料が選択される。深い記録層は反射膜が用いられる。浅い記録層と深い記録層の間にはこれらを一定の厚さで分離するため、光の波長での透過率が高い光透過性のスペーサ層が設けられる。
【０００４】
ＤＶＤ規格においては、図２に示すように、１つの記録層だけを有する単層ディスクの記録層上の透明カバー層の厚さは６００μｍである。これに対し、２層ディスクでは、２つの記録層の位置が入射側表面からそれぞれ５７０μｍと６３０μｍ、すなわち、単層ＤＶＤの記録層の深さ６００μｍを挟んで上下に１層目と２層目を配置するように構成されている。このように２層ディスクで単層記録層の厚さを中心とした振り分けを行うことは、ＤＶＤ規格における信号記録再生用ピックアップ光学系の比較的小さな開口数０．６の対物レンズが６００μｍの厚さのカバー層に対して設計され、かかる低開口数の対物レンズを用いても単層記録層からの±３０μｍ程度の１層目と２層目の深さずれで信号の読み取りに大きな影響を及ぼさないため、採用されている。このとき、記録層の３０μｍの厚さずれによって読み取り光ビームには波面収差が発生するが、低開口数０．６程度では波面収差量は少なく、問題とはならない。
【０００５】
２層ディスクの１層目の記録層に入りきらない長時間の映画などのプログラムを２層目の記録層にわたって情報を再生することが行われている。また、ＤＶＤ規格では、２層を連続して再生するオポジットトラックパス方式という片面信号再生方式を規定している。これは５７０μｍの深さの記録層を内周から外周まで再生し、その外周で６３０μｍの深さの記録層へフォーカスジャンプして、このより深い記録層を外周から内周方向に向かって信号再生を行うものである。また、このとき、５７０μｍの層に記録されたディスク内容を表す情報領域を読み出すことにより、ＤＶＤのタイトルやプログラム収録時間、或いは２層ディスクがオポジットトラトックパス方式であるということを装置側が検知できる。
【発明の開示】
【発明が解決しようとする課題】
【０００６】
一方、情報量の増大に伴い次世代光ディスクではさらに高密度化が要求されている。高密度化のために対物レンズの開口数を０．８以上に拡大することが考えられる。このような高開口数対物レンズを用いた場合には、記録層上のカバー層厚みの誤差による波面収差の発生量が信号読み取りを不可能にするまでに拡大し、次世代光ディスクの２層記録層構造のものを容易に再生することができない。このため、波面収差量を調整できる光学系などをピックアップに組み込んで記録層の深さに応じて波面収差が発生しないように補償をすることが考えられる。
【０００７】
波面収差を補償する光学系で次世代の単層ディスクと２層ディスクなどの多層ディスクとを互換性を保ちつつ読み取る場合、それぞれの記録層間での深さに対応するカバー層厚に差分があるために、記録層ごとに光ビームの波面収差補正をしつつ合焦させ、リードイン情報などを探していかなくてはならなかった。このため、単層ディスクを再生した直後に２層ディスクを再生すると、その再生が開始されるまでにかかる時間が長くなってしまうという問題があった。また、開口数が大きい場合にはカバー層厚が増すとディスクの傾きに対する許容範囲が著しく狭まるため、単層ディスクより一層のカバー層厚が増大する多層ディスクでは単層ディスクよりディスク表面の平面性を向上させて作製する必要があった。
【０００８】
本発明は、このような状況に鑑みてなされたもので、０．８以上の大きな開口数を有する対物レンズを用いて情報の記録再生を行う場合においても素早いデータ再生を可能にし、さらに、多層情報記録媒体ディスクの作製にあたっても単層と同等の平面性をもって作成することが可能な多層情報記録媒体及び情報再生装置を提供することを目的とする。
【課題を解決するための手段】
【０００９】
請求項１記載の多層情報記録媒体は、屈折率ｎを有する厚さｔの光入射側記録層上のカバー層を有する単層情報記録媒体に対して、再生又は記録の互換性を有する多層情報記録媒体であって、
光入射側表面より、第１の記録層と第２の記録層とを順に備え、
前記第２の記録層の光入射側表面からの光学距離ｄ１は、ｄ１＝ｎ×ｔであり、
前記第１の記録層の光入射側表面からの光学距離ｄ２は、ｄ２＜ｎ×ｔであり、
前記第２の記録層に前記第１の記録層の内容に関する所定のコンテンツ情報を記録するコンテンツ情報記録領域を有することを特徴とする。
【００１０】
請求項８記載の多層情報記録媒体は、屈折率ｎを有する厚さｔの光入射側記録層上のカバー層を有する単層情報記録媒体に対して、再生又は記録の互換性を有する多層情報記録媒体であって、
光入射側表面より、カバー層、第１の記録層、スペーサ層及び第２の記録層の順に積層され、
前記カバー層の屈折率をｎＣ、厚さをｔＣとし、前記第１の記録層の屈折率をｎＬ１、厚さをｔＬ１とし，スペーサ層の屈折率をｎＳ、厚さをｔＳとすると、前記第２の記録層の光入射側表面からの光学距離ｄ１は、ｄ１＝ｎ×ｔ＝ｎＣ×ｔＣ＋ｎＬ１×ｔＬ１＋ｎＳ×ｔＳであり、
前記第１の記録層の光入射側表面からの光学距離ｄ２は、ｄ２＝ｎＣ×ｔＣ＜ｎ×ｔであり、
前記第２の記録層に前記第１の記録層の内容に関する所定のコンテンツ情報を記録するコンテンツ情報記録領域を有することを特徴とする。
【００１１】
請求項１５記載の多層情報記録媒体は、屈折率ｎを有する厚さｔの光入射側記録層上のカバー層を有する単層情報記録媒体に対して、再生又は記録の互換性を有する多層情報記録媒体であって、
光入射側表面に対して最深記録層と当該最深記録層より浅い１以上の浅い記録層とを備え、
前記最深記録層の光入射側表面からの光学距離ｄ１は、ｄ１＝ｎ×ｔであり、
前記浅い記録層の光入射側表面からの光学距離ｄ２は、ｄ２＜ｎ×ｔであり、
前記最深記録層に前記浅い記録層の内容に関する所定のコンテンツ情報を記録するコンテンツ情報記録領域を有することを特徴とする。
【００１２】
請求項２３記載の情報再生装置は、請求項１〜２２のいずれかに記載の多層情報記録媒体から情報を再生することを特徴とする。
【発明を実施するための形態】
【００１３】
次に、図に基づいて本発明の実施の形態を説明する。
【００１４】
＜２層ディスク＞
本発明の第１実施例の多層ディスクの例は、例えば、図３に示されるように」、記録層Ｌ１及びＬ２の２層構造を有する２層ディスクである。これは、所定の再生或いは記録手段によって、所定屈折率ｎを有する厚さｔの光入射側記録層上のカバー層を通して再生或いは記録される単層ディスク（図４）に対して、再生互換性或いは記録互換性を有する２層ディスクである。
【００１５】
かかる２層ディスクの記録層のうちの最深記録層すなわち光入射側から最も深い位置にある記録層は、光学距離ｄ１がｄ１＝ｎ×ｔなる関係を有する厚さのカバー層によって覆われている。
【００１６】
さらに、最深記録層以外の浅い記録層は、光学距離ｄ２がｄ２＜ｎ×ｔなる関係を有する厚さのカバー層によって覆われている。かかる２層ディスクは、式ｄ１＝ｎ×ｔを満たす光学距離ｄ１に形成された最深記録層と、式ｄ２＜ｎ×ｔを満たす光学距離ｄ２に形成された浅い記録層と、からなる。
【００１７】
この２層ディスクでは、単層ディスクの記録層と同じ光路厚さの位置に光学距離ｄ１の最深記録層を配置しているために、単層ディスクに波面収差が最小となるように適合されたピックアップであっても、これから多層ディスクの浅い記録層の位置を探すことなく、光学距離がｄ１の最深記録層の情報を再生することができる。また、光学距離ｄ２はｄ１より短く設定されているので、この浅い記録層に記録再生を行う際のディスク傾きの許容度は単層ディスクより厳しくなることはなく、単層ディスクに比べて平面性を向上させる必要がない。
【００１８】
２層ディスクでは、２層にわたって所定の順序で再生されることが想定された内容の情報が記録され、その順序は光学距離ｄ２の浅い記録層が最深記録層より先に再生されるべく記録され得る。すなわち、浅い記録層から最深記録層へ光入射側から浅い順に逐次物理アドレス情報が記録され得る。
【００１９】
さらに、２層ディスクでは、信号再生は光学距離ｄ２の面の内周から外周に向かって開始され、光学距離ｄ１の面の外周から内周方向に続く順序であってもよい。また、最深記録層の内周から外周へ順に逐次物理アドレス情報が記録され得る。
【００２０】
このように構成することによって、浅い記録層１層の記録限度量を越える時間のプログラムの再生にあたって、ディスク傾きの許容量が大きい浅い記録層の再生を完了してから最深記録層に記録された残りの情報を再生することになるので、平均的なディスク傾きの許容度を拡大することが可能となる。
【００２１】
上記２層ディスクにおいて、さらに光学距離ｄ１の最深記録層に、この２層の全ての内容に関する所定のコンテンツ情報を記録しておくこともできる。その信号再生装置側では、まず光学距離ｄ１の最深記録層で２層ディスクのタイトルやプログラム収録時間、或いはこの２層ディスクがオポジットトラックパス方式であるなどを示す所定の情報を読み取り、次に光学距離ｄ２の浅い記録層の内周へとフォーカス位置をジャンプしてから信号再生を続けることができる。最深記録層から浅い記録層へ深さ順の記録層ごとに、内周から外周への順方向と外周から内周への逆方向と交互に逐次物理アドレス情報が記録されていてもよい。
【００２２】
このような構成によって情報を記録したディスクとすることによって、単層ディスクと同じ波面収差補正状態で２層にわたるディスクの内容を示す所定の情報を読み取ることができるために、情報が記録された２層ディスクであるということを再生装置がその波面収差補正装置で記録層の位置を探すことなく知ることができ、素早く再生を開始することができる。よって、本発明によれば、浅い記録層から隣接する記録層を連続再生する場合において、それらの記録層の再生面の移行をスムーズに行うことができる。
【００２３】
この情報はピットとして最深記録層の内周部に記録されるようなものであっても、或いはバーコードもしくはピットを用いてバーコード上のものを形成したＰＥＰと呼ばれるようなものであっても良く、また、その波面収差補正をおこなうためにその検出を行うのに用いる信号を記録した領域の波面収差補正用信号であってもよい。
【００２４】
また、この集光スポットを生じせしめる対物レンズの開口数は０．８以上に選ばれ、その対物レンズは光学距離ｄ１を通してスポットを結んだときに波面収差量を最小とするように設計されている。
【００２５】
上例においては２層ディスクについての説明を行ったが、これは、３層以上であっても同様に構成が可能であり、さらにはこの条件を満たさないほかの記録層を設けることも可能である。また、記録密度について説明をしていないが、これは２層とも同一の記録密度を有する記録層であって良く、或いは記録層ごとに記録密度が異なってもかまわない。
【００２６】
上例においては光路長を等しいとしてカバー層の厚さを記述したが、これは、もちろん屈折率が等しい材料によって同じ厚さで実現をすることができ、また、屈折率が異なる材料であっても屈折率及び厚さの積すなわち光学厚さ（距離）が等しくなるようにとればよい。また、層の間を充填する物質（スペーサ）の屈折率が異なる場合に逐次計算を行って、同等の光路長に設定をすることができる。
【００２７】
たとえば、２層ディスクの光入射側カバー層の屈折率をｎＣ及び厚さをｔＣ、浅い記録層Ｌ１の屈折率をｎＬ１及び厚さをｔＬ１、記録層Ｌ１，Ｌ２間のスペーサ層の屈折率をｎＳ及び厚さをｔＳ、とすると、最深記録層Ｌ２の光入射側表面からの光学距離ｄ１はｄ１＝ｎ×ｔ＝ｎＣ×ｔＣ＋ｎＬ１×ｔＬ１＋ｎＳ×ｔＳを満たすように、浅い記録層Ｌ１の光入射側表面からの光学距離ｄ２はｄ２＝ｎＣ×ｔＣ＜ｎ×ｔを満たすように、設計される。
【００２８】
各記録層Ｌ１及びＬ２はＡｇ−Ｉｎ−Ｓｂ−Ｔｅなどの相変化材料からなる記録層及びこれを挟む例えばＺｎＳ−ＳｉＯ2などのガラス質保護層からなる積層構造を有している。相変化材料の記録層を用いて光ビームによってデータの記録又は消去すなわち書き換えが自在な光ディスクの場合、データの書き換えすなわち記録又は消去ができる書換可能領域と、逐次物理アドレス情報としてアドレス、記録タイミングなどの情報を担うエンボスピットの列を予め設けたプリピット領域とが各記録層に設けられ得る。なお、相変化材料を用いた書き換え自在型２層ディスクの例について説明しているが、本発明の記録層材料は相変化材料に限定されず、追記型の色素材料を用いることができ、さらに、再生専用ディスクとしても構成できる。
【００２９】
また、再生及び記録の互換性の単層及び多層ディスクは、上記条件の他、ディスク直径、ディスク全体厚み、トラックピッチ、最短ピッチ長、反り角、複屈折率、フォーマットなどにおいて、共通である。例えばこれらは、ＣＡＶ（ｃｏｎｓｔａｎｔ  ａｎｇｕｌａｒ  ｖｅｌｏｃｉｔｙ）又はＣＬＶ（ｃｏｎｓｔａｎｔ  ｌｉｎｅａｒ  ｖｅｌｏｃｉｔｙ）方式としてもよい。さらに、ＣＡＶ及びＣＬＶの組み合わせたゾーンＣＡＶ又はＣＬＶ方式の多層ディスクでもよい。また、多層ディスクの各記録層には、予め、凸状のグルーブトラック及び凹状のランドトラックが螺旋状もしくは同心円状に交互に形成されている。なお、各グルーブトラックは多層ディスクの回転速度に対応した周波数でウォブリングされていてもよい。
【００３０】
＜記録再生装置＞
多層ディスクへのデータの記録は、その記録層のプリピット領域及び書換可能領域を低い強度の再生用光ビーム照射（読み取りパワー）により走査して、プリピット領域のランドプリピット、グルーブプリピットを検出することによって、記録すべきトラック上の位置を認識しつつ、データに応じ変調された高い強度の記録用光ビーム（書き込みパワー）を該トラックの書換可能領域上に集光照射して行う。
【００３１】
図５は、本発明の記録再生装置の構成を示すブロック図である。
【００３２】
光ピックアップ２１は、集光レンズ、ビームスプリッ夕、対物レンズなどを含む光学系、及び光源である半導体レーザ、光検出器、対物レンズアクチュエータなどを含む。対物レンズ２１ａは０．８以上の開口数を有しかつ光ビームの集光スポットを記録層上に生ぜしめる。対物レンズ２１ａは、互換性のある単層及び多層ディスクのいずれかが正規位置に装填された場合、その表面から光学距離ｄ１離れて集光スポットを結んだとき、光ビームの波面収差量を最小とするレンズ群からなる。光ピックアップ２１は、該集光スポットに含まれる波面収差量を可変させる波面収差補正手段２１ｂを備えている。
【００３３】
光ピックアップ２１は、多層ディスク１に対して、記録光又は読み出し光として光ビームを照射すると共に光ディスクの記録層からの反射光ビームを検出し、多層ディスク１上に形成されているトラック及びプリピット又は記録マークに対応する信号を反射率の変化として読み取る光検出器を備える。サーボ回路２０はフォーカスサーボ回路及びトラッキングサーボ回路を有し、光ピックアップ２１からの制御信号及び制御部（ＣＰＵ）２６からの制御コマンドに基づいて、ピックアップのフォーカス及びトラッキングのサーボ制御、再生位置（半径位置）の制御、スピンドルモータの回転数制御などを行う。上記例の多層ディスク例えば２層ディスクが装填された場合、光ビームの照射を最先に、光学距離ｄ１の最深記録層Ｌ２に対して行い、初期フォーカスサーボを実行し、光ビームが多層ディスクの記録層上に正確に焦点を結ぶように、対物レンズに対してトラッキングサーボ及びフォーカスサーボ制御がなされる。フォーカスサーボ回路は、初期フォーカスサーボの実行後、光学距離ｄ２の浅い記録層Ｌ１へとフォーカス位置をジャンプするフォーカスサーボをも実行する。
【００３４】
光ピックアップ２１から出力された読取信号（ＲＦ信号）は、増幅回路において増幅され、プリアドレスデコーダ２３及びデコーダ４３に供給される。
【００３５】
プリアドレスデコーダ２３において、ブリピット及びウォブル信号などが抽出され、その内部の同期クロック及びタイミング信号生成回路において、多層ディスク１の回転に同期したクロック信号及びタイミング信号が生成される。タイミング信号は、光ビームが記録（再生）しているプリピット領域もしくは書込可能領域又はランドトラックもしくはグルーブトラックなど現在ディスク上の位置を表す。プリアドレスデコーダ２３はピックアップによりディスクのプリピット領域のエンボスピットから読み取られた信号からアドレス情報を読み取り、ＣＰＵ２６にアドレス情報及びタイミング信号を送る。プリアドレスデコーダ２３が多層ディスクの書換可能領域及びプリピット領域を検出する回路を含む。
【００３６】
ＣＰＵ２６は、これらの信号から記録層のプリピット領域の位置を検出する。ＣＰＵ２６には、必要なデータなどを格納するための記憶装置が内蔵又は接続されている。供給された信号に基づき、ＣＰＵ２６は装置全体の制御を行う。ＣＰＵ２６はプリアドレスデコーダ２３からのアドレス情報を読み取り、制御コマンドを記録制御回路３６及びサ一ボ回路２０に送ることにより、所定のアドレスへの記録再生動作を制御する。
【００３７】
記録制御回路３６はＣＰＵ２６からの制御コマンド、プリアドレスデコーダ２３からのタイミング信号に基づいて、記録、消去、再生などの各状態に応じたピックアップのレーザのパワーの制御を行う。記録状態では、エンコーダ２７からの信号に基づいてピックアップのレーザのパワーを変調してディスクに情報を記録する。再生状態（書換可能領域のデータを再生する場合、又は、プリピット領域のアドレス情報を再生する場合）では、ディスクに記録した情報が消えないよう読み取りパワーを弱い一定のパワーに維持するように制御する。
【００３８】
エンコーダ２７は記録するデータを、例えば、エラー訂正のためのパリティーコードを付加し、ＲＬＬ符号（Ｒｕｎ  Ｌｅｎｇｔｈ  Ｌｉｍｉｔｅｄ  ｃｏｄｅ）に変換するなどの処理を施して、多層ディスク１への記録に適した信号に変換（エンコード）する。変換された信号はエンコーダ２７から記録制御回路３６に送られる。
【００３９】
デコーダ４３はディスクの書換可能領域から読み取られた信号からエンコーダで施した処理の逆処理（ＲＬＬ符号を復調、エラー訂正など）を施し、元の記録したデータを復元する。
【００４０】
（発明の効果）
以上のように、本発明においては、単層ディスクとの互換性を有する２層以上の記録層を有する多層ディスクにおいて単層ディスクのカバー層と同一の光路長を有するカバー層を備え、これより薄いカバー層位置に他の記録層を配置したので、ディスク平面度に対する安定性に優れた多層情報記録媒体を提供することができ、これら記録層から連続で信号の再生が行えるような順番で情報記録再生が可能となる。
【図面の簡単な説明】
【００４１】
【図１】２層ディスクの概略断面図。
【図２】単層ディスクの概略断面図。
【図３】本発明による２層ディスクの概略断面図。
【図４】本発明の２層ディスクに互換性のある単層ディスクの概略断面図。
【図５】本発明による記録再生装置を説明する概略構成図。
【符号の説明】
【００４２】
１  多層ディスク
２０  サーボ回路
２１  光ピックアップ
２３  プリアドレスデコーダ
２６  制御部（ＣＰＵ）
２７  エンコーダ
３６  記録制御回路
４３  デコーダ
【図１】
2005116177.tif 000003
【図２】
2005116177.tif 000004
【図３】
2005116177.tif 000005
【図４】
2005116177.tif 000006
【図５】
2005116177.tif 000007